(57)【特許請求の範囲】
【請求項１】
被固定物に設置する固定部本体と、被支持物に連結する連結体とを設け、これら固定部本体と連結体との間に揺動腕体を連結して被支持物を上下揺動自在に支持する支持装置において、固定部本体に揺動自在に連結される位置固定シャフトを設け、該位置固定シャフトと揺動腕体とを覆うカバーフレームを設け、該カバーフレームの長手両端部を固定部本体と連結体とに揺動自在に連結し、カバーフレームと位置固定シャフトとを貫通する固定ボルトにてカバーフレームと位置固定シャフトとを固定することで、揺動腕体を上下揺動範囲で固定するように設けたことを特徴とする簡易固定用支持装置。
【請求項２】
前記位置固定シャフトは、前記固定部本体から前記揺動腕体の左右側面に沿って一対配置されると共に、揺動腕体の長手方向中央部分まで延長され、各位置固定シャフトの先端近傍に位置固定シャフトの長手方向に沿ったスライド長孔を開穿すると共に、該スライド長孔の内側から前記カバーフレームの外側へ突出せしめた一対の固定ボルトをスライド長孔内にスライド係止するように設け、一方、カバーフレームの外側に突出した固定ボルトにねじ止めしてカバーフレームと位置固定シャフトとを固定する一対のクランプノブを設け、各クランプノブの締付け操作により、前記揺動腕体を上下揺動範囲で固定するように設けた請求項１記載の簡易固定用支持装置。
【請求項３】
前記カバーフレームは、揺動腕体の左右側面を覆う左右フレームと、揺動腕体の上下側面を覆う上下フレームとで略筒状に設けられ、左右フレームの長手両端部を前記固定部本体と連結体とに揺動自在に止着し、左右フレームの長手中央部に前記固定ボルトを挿通せしめる挿通孔を開穿した請求項１又は２記載の簡易固定用支持装置。
【請求項４】
前記揺動腕体は、前記固定部本体と連結体とに設けられた一対のヒンジ体に上下一対の揺動腕体が揺動自在に連結されると共に、該揺動腕体の間にガススプリング又はオイルスプリングから成る支持具が配されてヒンジ体に揺動自在に連結された請求項１乃至３いずれか記載の簡易固定用支持装置。
【請求項５】
前記固定部本体は、被固定物に対して水平回転自在に設けられ、前記連結体は、少なくともキーボード載置用トレイ、ノートパソコン載置用トレイ、モニターのいずれかを支持するように設けられた請求項１乃至４いずれか記載の簡易固定用支持装置。
【発明の詳細な説明】
【技術分野】
【０００１】
本発明は、例えば工場などに設置されているパソコンのキーボードなどを、高さ調整自在に支持固定することができる簡易固定用支持装置に関するものである。
【背景技術】
【０００２】
従来、パソコンのキーボード等を支持する装置として、特許文献１乃至特許文献３に記載の装置が提案されている。
【０００３】
特許文献１に記載の支持装置は、パソコンの表示装置（モニター）を載置する主天板の下に、キーボードを載置する補助天板を設け、この補助天板の支持位置を上下動自在に調整する装置である。すなわち、補助天板の上下位置を調整するには、この補助天板を支持する係止板に係合ピンを設けると共に、主天板の下に固定した垂直板に係止孔付きの弧状溝を設け、係止板の係合ピンを垂直板の係止孔に係止させて補助天板の高さを調整するものである。
【０００４】
特許文献２に記載の支持装置は、ディスプレイ用受板の前面にキーボード用受枠を配置し、このキーボード用受枠を水平回転自在に支持すると共に、キーボード用受枠の高さを調整できるようにしたものである。キーボード用受枠の高さを調整するには、キーボード用受枠を支持する支持ポストに長ボルトを設けておき、この長ボルトを回転させることで高さ調整する装置である。
【０００５】
特許文献３に記載の支持装置は、ディスプレイの前面に設けられた机に、キーボード支持板を設け、このキーボード支持板を机の下に回転自在に支持する装置である。
【特許文献１】実開昭６０−７６４２８号公報
【特許文献２】実開昭６１−１４３２２３号公報
【特許文献３】特許第２５６６２５５号公報
【発明の開示】
【発明が解決しようとする課題】
【０００６】
ところが、特許文献１の支持装置で補助天板の支持位置を上下動自在に調整するには、係合ピンを弧状溝にスライドさせ、この弧状溝に設けた係止孔に係合ピンを係止させて補助天板の高さを調整するものであるから、補助天板の高さ調整は、係止孔の位置に限定されるものである。この結果、キーボードを載置する補助天板の高さを無段階調整することは不可能になっており、工場等に配置されたキーボードなど、周囲の環境に合わせてキーボードの操作位置などを最適な位置に調整することはできなかった。
【０００７】
また、特許文献２の支持装置でキーボード用受枠の高さを調整するには、キーボード用受枠を支持する支持ポストに長ボルトを設け、この長ボルトを回転させることで高さ調整するものである。ところが、この長ボルトを回転させるには、長ボルトの上端部に係止するクランク状の工具を使用して長ボルトを操作する必要がある。そのため、このキーボード用受枠の高さを微調整するには適していても、高さを大きく変更する操作には、多くの手間を要するものであった。しかも、この高さ調整に特殊な工具を使用するので工具の管理も必要となる。この結果、管理者以外の使用者が自由に調整できなくなる虞もある。
【０００８】
更に、特許文献３に記載の支持装置は、机にキーボード支持板を設け、このキーボード支持板を机の下に回転自在に支持することはできるが、キーボード支持板を上下動自在に調整することはできない構造になっている。
【０００９】
そこで本発明は、上述の課題を解消すべく創出されたもので、上下動自在に支持したキーボード等の高さを簡単に固定することが可能で、しかも、固定した状態でキーボード等の操作も安定して行うことができる簡易固定用支持装置の提供を目的とするものである。
【課題を解決するための手段】
【００１０】
本発明の第１の手段は、被固定物に設置する固定部本体１０と、被支持物に連結する連結体３０とを設け、これら固定部本体１０と連結体３０との間に揺動腕体２０を連結して被支持物を上下揺動自在に支持する支持装置において、固定部本体１０に揺動自在に連結される位置固定シャフト４０を設け、該位置固定シャフト４０と揺動腕体２０とを覆うカバーフレーム５０を設け、該カバーフレーム５０の長手両端部を固定部本体１０と連結体３０とに揺動自在に連結し、カバーフレーム５０と位置固定シャフト４０とを貫通する固定ボルト４２にてカバーフレーム５０と位置固定シャフト４０とを固定することで、揺動腕体２０を上下揺動範囲で固定するように設けたことにある。
【００１１】
第２の手段の前記位置固定シャフト４０は、前記固定部本体１０から前記揺動腕体２０の左右側面に沿って一対配置されると共に、揺動腕体２０の長手方向中央部分まで延長され、各位置固定シャフト４０の先端近傍に位置固定シャフト４０の長手方向に沿ったスライド長孔４１を開穿すると共に、該スライド長孔４１の内側から前記カバーフレーム５０の外側へ突出せしめた一対の固定ボルト４２をスライド長孔４１内にスライド係止するように設け、一方、カバーフレーム５０の外側に突出した固定ボルト４２にねじ止めしてカバーフレーム５０と位置固定シャフト４０とを固定する一対のクランプノブ５１を設け、各クランプノブ５１の締付け操作により、前記揺動腕体２０を上下揺動範囲で固定するように設けている。
【００１２】
第３の手段の前記カバーフレーム５０は、揺動腕体２０の左右側面を覆う左右フレーム５２と、揺動腕体２０の上下側面を覆う上下フレーム５３とで略筒状に設けられ、左右フレーム５２の長手両端部を前記固定部本体１０と連結体３０とに揺動自在に止着し、該カバーフレーム５０の長手中央部に前記固定ボルト４２を挿通せしめる挿通孔５１を開穿したものである。
【００１３】
第４の手段の前記揺動腕体２０は、前記固定部本体１０と連結体３０とに設けられた一対のヒンジ体１１、３１に上下一対の揺動腕体２０が揺動自在に連結されると共に、該揺動腕体２０の間にガススプリング又はオイルスプリングから成る支持具６０が配されてヒンジ体１１、３１に揺動自在に連結されている。
【００１４】
第５の手段の前記固定部本体１０は、被固定物に対して水平回転自在に設けられ、前記連結体３０は、少なくともキーボード載置用トレイ、ノートパソコン載置用トレイ、モニターのいずれかを支持するように設けたことを課題解消のための手段とする。
【発明の効果】
【００１５】
本発明の請求項１により、カバーフレーム５０と位置固定シャフト４０とを貫通する固定ボルト４２にてカバーフレーム５０と位置固定シャフト４０とを固定することで、揺動腕体２０を上下揺動範囲で固定することにより、上下動自在に支持したキーボード等の高さを簡単に固定することが可能になった。しかも、固定した状態でキーボード等の操作も安定して行うことができるものである。
【００１６】
請求項２に記載の位置固定シャフト４０により、スライド長孔４１の内側から前記カバーフレーム５０の外側へ突出せしめた前記固定ボルト４２をスライド長孔４１内にスライド係止しているので、各固定ボルト４２に一対のクランプノブ５１を締付け固定するだけの操作で、揺動腕体２０で支持する被支持物の高さ調整を簡単且つ強固に行うことができる。
【００１７】
請求項３に記載のカバーフレーム５０により、前記位置固定シャフト４０と前記揺動腕体２０とが覆われるので、外観上、好適なデザインにすることが可能である。また、カバーフレーム５０を略筒状に設けることで、カバーフレーム５０の固定強度を高めているので、固定した状態でキーボード等の操作も安定して行うことが可能である。しかも、カバーフレーム５０の着脱が容易であるから、メンテナンスも容易である。
【００１８】
請求項４に記載の支持具６０により、上下一対の揺動腕体２０の支持強度を更に高めることができ、連結体３０にて支持する被支持物の選択範囲が広がり、被支持物を自由に変更することが可能になる。
【００１９】
請求項５によると、前記固定部本体１０により、本発明支持装置を被固定物に対して水平回転自在に設けることができる。また、連結体３０によると、本発明支持装置が支持する被支持物として、少なくともキーボード載置用トレイ、ノートパソコン載置用トレイ、モニターのいずれかを選択することが可能になる。
【００２０】
このように、本発明によると、上下動自在に支持したキーボード等の高さを簡単に固定することが可能で、しかも、固定した状態でキーボード等の操作も安定して行うことができるなどといった有益な種々の効果を奏するものである。
【発明を実施するための最良の形態】
【００２１】
本発明の最良の形態は、被固定物に設置する固定部本体１０を、被固定物に対して水平回転自在に設ける。揺動腕体２０として、上下一対の揺動腕体２０とガススプリングから成る支持具６０とを、前記固定部本体１０と連結体３０とに設けられた一対のヒンジ体１１、３１に揺動自在に連結する。連結体３０は、キーボード載置用トレイ、ノートパソコン載置用トレイ、モニターのいずれかを支持するように設ける。位置固定シャフト４０として、固定部本体１０から前記揺動腕体２０に沿って揺動腕体２０の長手方向中央部分まで延長され、該位置固定シャフト４０の先端近傍に位置固定シャフト４０の長手方向に沿ったスライド長孔４１を開穿すると共に、該スライド長孔４１の内側から前記カバーフレーム５０の外側へ突出せしめた前記固定ボルト４２をスライド長孔４１内にスライド係止するように設ける。カバーフレーム５０を、揺動腕体２０の左右側面を覆う左右フレーム５２と、揺動腕体２０の上下側面を覆う上下フレーム５３とで略筒状に設ける。左右フレーム５２の長手両端部を前記ヒンジ体１１、３１に揺動自在に止着する。カバーフレーム５０の長手中央部に前記固定ボルト４２を挿通せしめる挿通孔５１を開穿する。該挿通孔５１からカバーフレーム５０の外側に前記固定ボルト４２を突出せしめる。突出した固定ボルト４２にねじ止めしてカバーフレーム５０と位置固定シャフト４０とを固定するクランプノブ５１を設ける。該クランプノブ５１の締付け操作により、前記揺動腕体２０を上下揺動範囲で固定するように設けることで当初の目的を達成するものである。
【実施例】
【００２２】
本発明支持装置は、例えばパソコンのキーボード等を高さ調整自在に支持する装置であり、基本構成として、固定部本体１０、揺動腕体２０、連結体３０、位置固定シャフト４０、カバーフレーム５０を有するものである。
【００２３】
固定部本体１０は、たとえば工場内の施設や各種機器等の被固定物に固定する部材であり、また、連結体３０は、キーボード載置用トレイＰ、モニター支持具Ｑ、ノートパソコン載置用トレイ等の被支持物に連結する部材である（図９参照）。図示例では、連結体３０にクランプＲを装着し、このクランプＲにキーボード載置用トレイＰとモニター支持具Ｑとが一体に装着された被支持物を連結している（図１０参照）。そして、これら固定部本体１０と連結体３０との間に揺動腕体２０を連結して被支持物を上下揺動自在に支持するものである（図４参照）。
【００２４】
固定部本体１０は、被固定物（図示せず）に対して水平回転自在に設けられている。すなわち、被固定物に回転自在に嵌合する嵌合部１２と、該嵌合部１２と一体に設けられた固定部１３とを設けている（図１参照）。そして、この固定部１３の左右両側面にヒンジ体１１を装着し、後述する揺動腕体２０や支持具６０をこのヒンジ体１１に上下揺動自在に連結するものである。
【００２５】
揺動腕体２０は、一方が固定部本体１０に固定され、他方が連結体３０に連結されているもので、図示例では、上下一対の揺動腕体２０が使用されている（図１参照）。また、揺動腕体２０を補強する支持具６０として、ガススプリング又はオイルスプリングが揺動腕体２０の間に使用される（図３参照）。これらの揺動腕体２０や支持具６０は、固定部本体１０と連結体３０とに設けられた一対のヒンジ体１１、３１に揺動自在に連結されている。
【００２６】
位置固定シャフト４０は、固定部本体１０に揺動自在に連結される部材で、固定部本体１０から揺動腕体２０に沿って揺動腕体２０の長手方向中央部分まで延長されている（図１参照）。そして、位置固定シャフト４０の先端近傍に位置固定シャフト４０の長手方向に沿ったスライド長孔４１を開穿し、スライド長孔４１の内側から外側へ突出せしめた前記固定ボルト４２をスライド長孔４１内にスライド係止するように設けている（図２参照）。図示の位置固定シャフト４０は、揺動腕体２０の左右側面に沿って一対配設しているが、いずれか一方の位置固定シャフト４０のみでも良い。
【００２７】
カバーフレーム５０は、位置固定シャフト４０と揺動腕体２０とを覆う部材であり、該カバーフレーム５０の長手両端部を固定部本体１０と連結体３０とに揺動自在に連結している（図５参照）。このカバーフレーム５０の長手中央部に前記固定ボルト４２を挿通せしめる挿通孔５１を開穿している（図７参照）。そして、スライド長孔４１の内側に配した固定ボルト４２を、この挿通孔５１を通してカバーフレーム５０の外側に突出させるものである。更に、この突出した固定ボルト４２にねじ止めするクランプノブ５１を設け、このクランプノブ５１の締付け操作で、カバーフレーム５０と位置固定シャフト４０とを固定する（図５、図６参照）。このような操作でカバーフレーム５０と位置固定シャフト４０とを固定すると、揺動腕体２０が上下に揺動した範囲内で固定されるものである（図４参照）。
【００２８】
図示のカバーフレーム５０は、揺動腕体２０の左右側面を覆う左右フレーム５２と、揺動腕体２０の上下側面を覆う上下フレーム５３とで略筒状に設けられている（図７、図８参照）。そして、左右フレーム５２の長手両端部を前記固定部本体１０と連結体３０とに揺動自在に止着する。図示の止着手段は、ヒンジ体１１、３１の上面に揺動支持片５４を装着し、この揺動支持片５４に外嵌して揺動自在になる左右フレーム５２を設けると共に、該左右フレーム５２の内側面に係止突起（図示せず）を突設し、揺動支持片５４の外側面に凹設した係止凹部５４Ａに嵌合係止するものである（図４参照）。また、この他の止着手段への変更も可能である。図中符号５５に示す部材は配線カバーであり、この配線カバー５５上下フレーム５３との間にコード等を収納するものである（図５、図６参照）。
【００２９】
尚、本発明における図示例の各構成は、本発明の一実施例に過ぎず、各構成部材の形状、寸法等の設計変更、形態の変更や、本発明が支持する被支持物の種類など、現在知られている技術範囲で自由に変更することができるものである。
【図面の簡単な説明】
【００３０】
【図１】本発明のカバーフレームを除いた一実施例を示す正面図である。
【図２】同じく底面図である。
【図３】本発明のカバーフレームと位置固定シャフトとを除いた正面図である。
【図４】本発明の揺動腕体と位置固定シャフトの動きを示す正面図である。
【図５】本発明の一実施例を示す正面図である。
【図６】同じく底面図である。
【図７】本発明のカバーフレームを示す平面図である。
【図８】同じく底面図である。
【図９】本発明の使用状態を示す正面図である。
【図１０】同じく平面図である。
【符号の説明】
【００３１】
Ｐ  キーボード載置用トレイ
Ｑ  モニター支持具
Ｒ  クランプ
１０  固定部本体
１１  ヒンジ体
１２  嵌合部
１３  固定部
２０  揺動腕体
２１  揺動軸
３０  連結体
３１  ヒンジ体
４０  位置固定シャフト
４１  スライド長孔
４２  固定ボルト
５０  カバーフレーム
５１  クランプノブ
５２  左右フレーム
５３  上下フレーム
５４  揺動支持片
５４Ａ  係止凹部
５５  配線カバー  
６０  支持具
【図１】
0004552149.tif 000002
【図２】
0004552149.tif 000003
【図３】
0004552149.tif 000004
【図４】
0004552149.tif 000005
【図５】
0004552149.tif 000006
【図６】
0004552149.tif 000007
【図７】
0004552149.tif 000008
【図８】
0004552149.tif 000009
【図９】
0004552149.tif 000010
【図１０】
0004552149.tif 000011